(57)【要約】【課題】煙草の灰を短時間に廃棄処理することができる紙製灰受の提供を課題とする。【解決手段】吸水性の紙で形成されている灰受部１２は、紙製の支持部１３によって水平面上に支持されている。灰受部１２は、底面部１２ａと周壁部１２ｂとによって構成されている。支持部１３は、灰受部１２の周壁部１２ｂに止着しており、底面部１２ａが水平面から離れて位置するように灰受部１２を水平面上に支持する。灰受部１２には、使用前に水を供給する。【選択図】  図２
0003107633.tif 000002
【実用新案登録請求の範囲】
【請求項１】
装着すべき灰皿の内側に嵌合する形状に形成された底面部および側壁部を有する灰受で
あって、当該灰受は吸水性を有する紙によって構成されていることを特徴とする紙製灰受
。
【請求項２】
装着すべき灰皿の内側に嵌合する形状に形成された底面部および側壁部を有する灰受で
あって、当該灰受は不燃処理された紙によって構成されていることを特徴とする紙製灰受
。
【請求項３】
底面部と該底面部の周縁に上方に向かって延在するように連設された周壁部とからなり
吸水性を有する紙によって構成される灰受部と、
該灰受部を水平面上に支持する不燃処理された紙で構成された支持部であって、前記灰
受部の前記周壁部に止着して前記灰受部の前記底面部が前記水平面に接しないように前記
灰皿部を前記水平面上に支持する支持部とから構成されていることを特徴とする紙製灰受
。
【請求項４】
底面部と該底面部の周縁に上方に向かって延在するように連設された周壁部とからなり
不燃処理された紙によって構成される灰受部と、
該灰受部を水平面上に支持する不燃処理された紙で構成された支持部であって、前記灰
受部の前記周壁部に止着して前記灰受部の前記底面部が前記水平面に接しないように前記
灰皿部を前記水平面上に支持する支持部とから構成されていることを特徴とする紙製灰受
。
【請求項５】
吸水性を有する紙によって袋状に形成された灰受部と、
不燃処理された紙によって構成された支持部であって、天板部とその両側に折曲線を介
して連設された２枚の同型の側板部とからなる支持部とを有し、
前記支持部の前記天板部の内部には開口部が形成され、袋状に形成された前記灰受部の
開口の周縁部が全周に亘って前記天板部の前記開口部の周縁部に沿って止着されているこ
とを特徴とする紙製灰受。
【請求項６】
不燃処理された紙によって袋状に形成された灰受部と、
不燃処理された紙によって構成された支持部であって、天板部とその両側に折曲線を介
して連設された２枚の同型の側板部とからなる支持部とを有し、
前記支持部の前記天板部の内部には開口部が形成され、袋状に形成された前記灰受部の
開口の周縁部が全周に亘って前記天板部の前記開口部の周縁部に沿って止着されているこ
とを特徴とする紙製灰受。
【考案の詳細な説明】
【技術分野】
【０００１】
本考案は、煙草の灰を受ける紙製灰受に関するものである。
【背景技術】
【０００２】
図５は、従来から用いられている煙草の灰皿を示したものであり、１０は灰皿、Ｔは煙
草、１は煙草Ｔの灰をそれぞれ示している。
【０００３】
図５に示したような灰皿１０は、ファーストフード店等の店で広く使用されている。こ
のような店においては、客が使用した灰皿は、中に残っている灰１や煙草Ｔが捨てられた
後、店の従業員が灰皿１０に付着している灰１を洗い落として灰皿１０を乾燥させた後、
新たな客に供されている。
【考案の開示】
【考案が解決しようとする課題】
【０００４】
このように従来の灰皿を店で使用する場合には、その清掃作業を従業員が行わなければ
ならなかった。ここで、大型のファーストフード店等においては、客の人数が多く、使用
される灰皿の数も多くなるので、その清掃作業に多大の時間を要してしまうという問題が
生じていた。
【課題を解決するための手段】
【０００５】
以上の問題を解決するために、本考案の第１の手段は、装着すべき灰皿の内側に嵌合す
る形状に形成された底面部および側壁部を有する灰受であって、当該灰受は吸水性を有す
る紙によって構成されていることを特徴とするものである。
【０００６】
以上の問題を解決するために、本考案の第２の手段は、装着すべき灰皿の内側に嵌合す
る形状に形成された底面部および側壁部を有する灰受であって、当該灰受は不燃処理され
た紙によって構成されていることを特徴とするものである。
【０００７】
以上の問題を解決するために、本考案の第３の手段は、底面部と該底面部の周縁に上方
に向かって延在するように連設された周壁部とからなり吸水性を有する紙によって構成さ
れる灰受部と、該灰受部を水平面上に支持する不燃処理された紙で構成された支持部であ
って、前記灰受部の前記周壁部に止着して前記灰受部の前記底面部が前記水平面に接しな
いように前記灰皿部を前記水平面上に支持する支持部とから構成されていることを特徴と
するものである。
【０００８】
以上の問題を解決するために、本考案の第４の手段は、底面部と該底面部の周縁に上方
に向かって延在するように連設された周壁部とからなり不燃処理された紙によって構成さ
れる灰受部と、該灰受部を水平面上に支持する不燃処理された紙で構成された支持部であ
って、前記灰受部の前記周壁部に止着して前記灰受部の前記底面部が前記水平面に接しな
いように前記灰皿部を前記水平面上に支持する支持部とから構成されていることを特徴と
するものである。
【０００９】
以上の問題を解決するために、本考案の第５の手段は、吸水性を有する紙によって袋状
に形成された灰受部と、不燃処理された紙によって構成された支持部であって、天板部と
その両側に折曲線を介して連設された２枚の同型の側板部とからなる支持部とを有し、前
記支持部の前記天板部の内部には開口部が形成され、袋状に形成された前記灰受部の開口
の周縁部が全周に亘って前記天板部の前記開口部の周縁部に沿って止着されていることを
特徴とするものである。
【００１０】
以上の問題を解決するために、本考案の第６の手段は、不燃処理された紙によって袋状
に形成された灰受部と、不燃処理された紙によって構成された支持部であって、天板部と
その両側に折曲線を介して連設された２枚の同型の側板部とからなる支持部とを有し、前
記支持部の前記天板部の内部には開口部が形成され、袋状に形成された前記灰受部の開口
の周縁部が全周に亘って前記天板部の前記開口部の周縁部に沿って止着されていることを
特徴とするものである。
【考案の効果】
【００１１】
本考案によれば、煙草の灰の処理を従来に比して著しく短時間で行うことができる。
【考案を実施するための最良の形態】
【００１２】
以下、図面を用いて本考案の実施例を説明する。
【実施例１】
【００１３】
図１は、本考案の実施例１に係る紙製灰受１１の構成を示した斜視図であり、（ａ）は
灰皿１０への装着前の状態を示し、（ｂ）は灰皿１０に装着した状態を示したものである
。
【００１４】
図１（ａ），（ｂ）に示したように、紙製灰受１１の形状は、装着すべき灰皿１０の内
側に嵌合する形状に形成されている。即ち本実施例１に係る紙製灰受１１は、灰皿１０の
底面に接する底面部１１ａと、灰皿１０の側面に接する側壁部１１ｂとによって構成され
ている。本実施例１においては、装着すべき灰皿１０の底面の形状が円形となっているの
で、本実施例１の底面部１１ａの形状も円形となっている。
【００１５】
ここで、本実施例は、吸水性のある紙によって構成されている。
【００１６】
本実施例１を使用する場合は、先ず、図１（ｂ）に示したように本実施例１を灰皿１０
の内側に嵌合させる。その後、本実施例１に水分を与え、その水分を本実施例１に吸水さ
せておく。
【００１７】
このような灰皿１０の使用時の状態を図２（ａ）に示す。図２（ａ）に示したように、
煙草Ｔの灰１が本実施例１内に落ちた場合、本実施例１は湿っているので本実施例１が落
ちた灰１によって燃えるようなことはない。
【００１８】
灰皿１０の使用が終わった後、図２（ｂ）に示したように、本実施例１に係る紙製灰受
１１と共に灰１を廃棄して、新たな紙製灰受１１を図１（ｂ）に示したように灰皿１０に
セットする。
【００１９】
このように本実施例１によれば、灰皿１０の洗浄や乾燥を行うことなく、使用後の灰皿
１０を使用前の状態に瞬時にすることができる。
【００２０】
以上説明した実施例１においては、紙製灰受１１は吸水性のある紙によって構成されて
いるが、この紙製灰受１１は不燃処理された紙によって構成してもよい。
【００２１】
ここで、不燃処理された紙とは、紙を抄くときに原料にリン酸アンモニウム等の難燃剤
が加えられている紙や、従来から市販されている防火塗料が表面上に塗布されている紙な
どのことをいう。
【００２２】
このような不燃処理された紙で紙製灰受１１を構成した場合には、使用前に紙製灰受１
１に水分を供給する必要はない。
【実施例２】
【００２３】
図３は、本考案の実施例２の構成を示した斜視図である。
【００２４】
本実施例２は、紙製の灰受部１２と、この灰受部１２を水平面上に支持する紙製の支持
部１３とによって構成されている。
【００２５】
灰受部１２は、底面部１２ａと、この底面部１２ａの周縁に上方に向かって延在するよ
うに連設された周壁部１２ｂとによって構成されている。この灰受部１２は、吸水性を有
する紙によって構成されている。
【００２６】
紙製の支持部１３は、灰受部１２の周壁部１２ｂに止着しており、この灰受部１２の底
面部１２ａが水平面に接しないように、灰受部１２を水平面上に支持している。この支持
部１３は、不燃処理された紙によって構成されている。
【００２７】
以上のように構成された本実施例２においては、使用前に灰受部１２に水を供給して灰
受部１２を湿らせておく。このように灰受部１２が湿っている状態においては、煙草Ｔの
灰１が落ちても灰受部１２が燃えるようなことはない。また、灰受部１２の底面部１２ａ
が水平面から離れているので、本実施例２が置かれている水平面が汚れるようなこともな
い。
【００２８】
本実施例２においては、全てが紙で構成されているので、本実施例２の使用後には、煙
草Ｔの灰と共に本実施例２を廃棄することができる。
【００２９】
以上説明した実施例２においては、灰受部１２は吸水性のある紙によって構成されてい
るが、この灰受部１２は不燃処理された紙によって構成してもよい。このような不燃処理
された紙で灰受部１２を構成した場合には、使用前に灰受部１２に水分を供給する必要は
ない。
【実施例３】
【００３０】
図４は、本考案の実施例３の構成を示した斜視図である。
【００３１】
本実施例３は、吸水性を有する紙によって袋状に形成された灰受部１４と、不燃処理さ
れた紙によって形成されている支持部１５とによって構成されている。
【００３２】
支持部１５は、天板部１５ａと、その両側に折曲線１５ｃを介して連設されている２枚
の同型の側板部１５ｄとによって構成されている。
【００３３】
天板部１５ａの内部には開口部１５ｂが形成されており、この開口部１５ｂの周縁部に
沿うように灰受部１４の開口の周縁部が全周に亘って止着されている。
【００３４】
以上のように構成された本実施例３においては、使用前に灰受部１４に水を供給して灰
受部１４を湿らせておく。
【００３５】
本実施例３の作用は、実施例２の作用と同様であるのでその説明は省略する。
【００３６】
以上説明した実施例３においては、灰受部１４は吸水性のある紙によって構成されてい
るが、この灰受部１４は不燃処理された紙によって構成してもよい。このような不燃処理
された紙で灰受部１４を構成した場合には、使用前に灰受部１４に水分を供給する必要は
ない。
【図面の簡単な説明】
【００３７】
【図１】本考案の実施例１の構成を示す斜視図である。
【図２】本考案の実施例１の使用状態の説明図である。
【図３】本考案の実施例２の構成を示す斜視図である。
【図４】本考案の実施例３の構成を示す斜視図である。
【図５】従来の灰皿の説明図である。
【符号の説明】
【００３８】
１  灰
１０  灰皿
１１  紙製灰皿
１１ａ，１２ａ  底面部
１１ｂ，１２ｂ  周壁部
１２，１４  灰受部
１３，１５  支持部
１５ａ  天板部
１５ｂ  開口部
１５ｃ  折曲線
１５ｄ  側板部
Ｔ  煙草
【図１】
0003107633.tif 000003
【図２】
0003107633.tif 000004
【図３】
0003107633.tif 000005
【図４】
0003107633.tif 000006
【図５】
0003107633.tif 000007
【手続補正書】
【提出日】平成16年8月5日(2004.8.5)
【手続補正１】
【補正対象書類名】実用新案登録請求の範囲
【補正対象項目名】全文
【補正方法】変更
【補正の内容】
【実用新案登録請求の範囲】
【請求項１】
装着すべき灰皿の内側に嵌合する形状に形成された底面部および側壁部を有する灰受で
あって、当該灰受は吸水性を有する紙によって構成されていることを特徴とする紙製灰受
。
【請求項２】
装着すべき灰皿の内側に嵌合する形状に形成された底面部および側壁部を有する灰受で
あって、当該灰受は不燃処理された紙によって構成されていることを特徴とする紙製灰受
。
【手続補正２】
【補正対象書類名】明細書
【補正対象項目名】全文
【補正方法】変更
【補正の内容】
【考案の詳細な説明】
【技術分野】
【０００１】
本考案は、煙草の灰を受ける紙製灰受に関するものである。
【背景技術】
【０００２】
図３は、従来から用いられている煙草の灰皿を示したものであり、１０は灰皿、Ｔは煙
草、１は煙草Ｔの灰をそれぞれ示している。
【０００３】
図３に示したような灰皿１０は、ファーストフード店等の店で広く使用されている。こ
のような店においては、客が使用した灰皿は、中に残っている灰１や煙草Ｔが捨てられた
後、店の従業員が灰皿１０に付着している灰１を洗い落として灰皿１０を乾燥させた後、
新たな客に供されている。
【考案の開示】
【考案が解決しようとする課題】
【０００４】
このように従来の灰皿を店で使用する場合には、その清掃作業を従業員が行わなければ
ならなかった。ここで、大型のファーストフード店等においては、客の人数が多く、使用
される灰皿の数も多くなるので、その清掃作業に多大の時間を要してしまうという問題が
生じていた。
【課題を解決するための手段】
【０００５】
以上の問題を解決するために、本考案の第１の手段は、装着すべき灰皿の内側に嵌合す
る形状に形成された底面部および側壁部を有する灰受であって、当該灰受は吸水性を有す
る紙によって構成されていることを特徴とするものである。
【０００６】
以上の問題を解決するために、本考案の第２の手段は、装着すべき灰皿の内側に嵌合す
る形状に形成された底面部および側壁部を有する灰受であって、当該灰受は不燃処理され
た紙によって構成されていることを特徴とするものである。
【考案の効果】
【０００７】
本考案によれば、煙草の灰の処理を従来に比して著しく短時間で行うことができる。
【考案を実施するための最良の形態】
【０００８】
以下、図面を用いて本考案の実施例を説明する。
【実施例１】
【０００９】
図１は、本考案の実施例１に係る紙製灰受１１の構成を示した斜視図であり、（ａ）は
灰皿１０への装着前の状態を示し、（ｂ）は灰皿１０に装着した状態を示したものである
。
【００１０】
図１（ａ），（ｂ）に示したように、紙製灰受１１の形状は、装着すべき灰皿１０の内
側に嵌合する形状に形成されている。即ち本実施例１に係る紙製灰受１１は、灰皿１０の
底面に接する底面部１１ａと、灰皿１０の側面に接する側壁部１１ｂとによって構成され
ている。本実施例１においては、装着すべき灰皿１０の底面の形状が円形となっているの
で、本実施例１の底面部１１ａの形状も円形となっている。
【００１１】
ここで、本実施例は、吸水性のある紙によって構成されている。
【００１２】
本実施例１を使用する場合は、先ず、図１（ｂ）に示したように本実施例１を灰皿１０
の内側に嵌合させる。その後、本実施例１に水分を与え、その水分を本実施例１に吸水さ
せておく。
【００１３】
このような灰皿１０の使用時の状態を図２（ａ）に示す。図２（ａ）に示したように、
煙草Ｔの灰１が本実施例１内に落ちた場合、本実施例１は湿っているので本実施例１が落
ちた灰１によって燃えるようなことはない。
【００１４】
灰皿１０の使用が終わった後、図２（ｂ）に示したように、本実施例１に係る紙製灰受
１１と共に灰１を廃棄して、新たな紙製灰受１１を図１（ｂ）に示したように灰皿１０に
セットする。
【００１５】
このように本実施例１によれば、灰皿１０の洗浄や乾燥を行うことなく、使用後の灰皿
１０を使用前の状態に瞬時にすることができる。
【００１６】
以上説明した実施例１においては、紙製灰受１１は吸水性のある紙によって構成されて
いるが、この紙製灰受１１は不燃処理された紙によって構成してもよい。
【００１７】
ここで、不燃処理された紙とは、紙を抄くときに原料にリン酸アンモニウム等の難燃剤
が加えられている紙や、従来から市販されている防火塗料が表面上に塗布されている紙な
どのことをいう。
【００１８】
このような不燃処理された紙で紙製灰受１１を構成した場合には、使用前に紙製灰受１
１に水分を供給する必要はない。
【図面の簡単な説明】
【００１９】
【図１】本考案の実施例１の構成を示す斜視図である。
【図２】本考案の実施例１の使用状態の説明図である。
【図３】従来の灰皿の説明図である。
【符号の説明】
【００２０】
１  灰
１０  灰皿
１１  紙製灰受
１１ａ  底面部
１１ｂ  周壁部
Ｔ  煙草
【手続補正３】
【補正対象書類名】図面
【補正対象項目名】全図
【補正方法】変更
【補正の内容】
【図１】
0003107633.tif 000008
【図２】
0003107633.tif 000009
【図３】
0003107633.tif 000010